(57)【要約】【課題】それぞれのパネル基板の電極を駆動回路側に接続するための引き出し線の接続端子を、一方のパネル基板の１辺側あるいは対向する２辺に集めた場合でも、パネルの狭額縁化を達成することができる情報表示用パネルを提供する。【解決手段】少なくとも第１の基板の透明なストライプ電極と第２の基板のストライプ電極とが直交対向するようにして、かつ、第１の基板と第２の基板との対向空間の情報表示画面領域に、帯電性粒子を含んだ粒子群として構成した表示媒体を少なくとも２種類封止するとともに、第１の基板のストライプ電極から引き出したライン電極と、第３の基板の駆動回路側への接続配線用のライン電極とを電気的に接続するようにして、第１の基板、第２の基板、第３の基板の順に重ねて貼り合わせた構造として、対向したストライプ電極で形成した電極対に駆動回路で制御された電圧を印加して発生させた電界で、表示媒体を移動させて情報表示を行うように構成した。【選択図】図３
2010145722.tif 000002
【特許請求の範囲】
【請求項１】
情報表示画面領域に透明なストライプ電極が形成され、情報表示画面領域以外の領域に前記ストライプ電極から引き出したライン電極が形成された第１の基板と、情報表示画面領域にストライプ電極が形成され、情報表示画面領域以外の領域に前記ストライプ電極から引き出したライン電極が形成された第２の基板と、駆動回路への接続配線用のライン電極が形成された第３の基板とを、少なくとも第１の基板の透明なストライプ電極と第２の基板のストライプ電極とが直交対向するようにして、かつ、第１の基板と第２の基板との対向空間の情報表示画面領域に、帯電性粒子を含んだ粒子群として構成した表示媒体を少なくとも２種類封止するとともに、第１の基板のストライプ電極から引き出したライン電極と、第３の基板の駆動回路側への接続配線用のライン電極とを電気的に接続するようにして、第１の基板、第２の基板、第３の基板の順に重ねて配置した構造として、対向したストライプ電極で形成した電極対に駆動回路で制御された電圧を印加して発生させた電界で、前記表示媒体を移動させて情報表示を行うように構成したことを特徴とする情報表示用パネル。
【請求項２】
前記第１の基板のストライプ電極から引き出したライン電極と、第３の基板の駆動回路への接続配線用のライン電極とを電気的に接続する手段が、導電性粒子を非導電性樹脂に含ませた構成の異方導電接続材であることを特徴とする請求項１に記載の情報表示用パネル。
【請求項３】
前記第２の基板の厚さが、２５μｍ〜２５０μｍのものであることを特徴とする請求項１または２に記載の情報表示用パネル。
【請求項４】
前記第１の基板上の電極と前記第３の基板上の電極との異方導電接続材による接続を、前記第１の基板か前記第３の基板の少なくとも一方を撓めて、前記異方導電接続材が含む導電粒子の粒子径の長さに基板間距離を狭めて行ったことを特徴とする請求項１〜３のいずれか１項に記載の情報表示用パネル。
【請求項５】
前記第３の基板の駆動回路への接続配線用のライン電極を、前記第２の基板のストライプ電極から引き出したライン電極が引き出されたパネルの１辺に、あるいは、前記第２の基板のストライプ電極から引き出されたライン電極が引き出されたパネルの１辺と対向する辺に、あるいは、パネルの前記対向する両辺に、引き出したことを特徴とする請求項１〜４のいずれか１項に記載の情報表示用パネル。
【発明の詳細な説明】
【技術分野】
【０００１】
本発明は、帯電性粒子を含んだ粒子群として構成した色および帯電極性が異なる２種類の表示媒体を、観察側パネル基板と背面側パネル基板との間に設けた複数のセル内に封止し、この２種類の表示媒体を、前記２枚のパネル基板に設けた電極を対向させて形成した対電極に電圧を印加して形成した電界で反転駆動させて画像等の情報表示を行う方式の情報表示用パネルに関するものである。
【背景技術】
【０００２】
従来、透明な前面基板と透明であることを要しない背面基板との間に表示媒体を封入し、各基板に設けた電極間に電圧を印加し、表示媒体に電界を与えることにより、表示媒体を移動させて画像等の情報を表示する情報表示用パネルにおいて、前面基板の少なくとも表示エリアに設けられた透明な無機導電膜からなる第１のストライプ電極と；背面基板の少なくとも表示エリアに設けられた、金属膜からなるとともに第１のストライプ電極とほぼ直交して設けられた第２のストライプ電極と；背面基板の表示エリア外に設けられた、金属膜からなるとともに第２のストライプ電極に接続した第２の引き出し線と；背面基板の表示エリア外に設けられた、金属膜からなるとともに第１のストライプ電極と接続した第１の引き出し線と；から構成されることを特徴とする情報表示用パネルが知られている（例えば、特許文献１参照）。
【０００３】
図９（ａ）〜（ｃ）はそれぞれ上述した従来の情報表示用パネルの一例を説明するための図である。まず、図９（ａ）に示すように、透明なフィルム基板等からなる観察側基板５１の少なくとも情報表示画面領域５２に対応する位置に、透明な酸化インジウム錫（ＩＴＯ）などの無機導電性膜からなる第１のストライプ電極５３をパターニングして形成する。次に、図９（ｂ）に示すように、背面側基板５４上に、いずれも金属膜から構成されている、第２のストライプ電極５５、第２の引き出し線５６および第１の引き出し線５７を、パターニングして形成する。
【０００４】
この際、第２のストライプ電極５５は、背面側基板５４上の少なくとも情報表示画面領域５２に対応する位置に、観察側基板５１と背面側基板５４とを重ね合わせたとき、第１のストライプ電極５３とほぼ直交するよう形成されている。また、第２の引き出し線５６は、背面側基板５４上の情報表示画面領域５２外の位置に、第２のストライプ電極５５と接続して、パネルの一端面（ＴＣＰ：Tape Carrier Packageの実装部となる）まで引き回して形成されている。さらに、第１の引き出し線５７は、背面側基板５４の情報表示画面領域５２外の位置に、観察側基板５１と背面側基板５４とを重ね合わせたときに、第１のストライプ電極５３の端部と第１の引き出し線５７の端部とが上下に重なるように、パネルの一端面から形成されている。
【０００５】
最後に、図９（ｃ）に示すように、導電性粒子を含み異方導電性を有する異方導電接続材（ここでは異方導電シール剤）５８を、情報表示画面領域５２の外周であって情報表示画面領域５２を囲むよう、そして、第１のストライプ電極５３の端部と第１の引き出し線５７の端部とが重なり合う部分（図中その一部に○を付す）に配置されるよう、設けた状態で、観察側基板５１と背面側基板５４とを貼り合わせることで、情報表示用パネルを得ている。ここでは、異方導電シール剤にて導通をとる構成としたが、２枚の基板を貼り合わせる接着剤にその機能を持たせることもできる。
【０００６】
【特許文献１】特開２００７−３２２８０５号公報
【発明の開示】
【発明が解決しようとする課題】
【０００７】
上述した従来の情報表示用パネルでは、それぞれのパネル基板の電極を駆動回路に接続するための引き出し線の接続端子を、一方のパネル基板の１辺側に集めて、この接続端子と駆動回路とを接続する構成としようとすると、他方のパネル基板の引き出し線を９０度曲げて引き回した引き出し線が配置されることになり、その領域が情報表示を行えないいわゆる額縁となってしまい、パネル全面のうち表示画面とできる領域が狭いものになっていた。
【０００８】
また、一方のパネル基板の１辺側に集められた接続端子と駆動回路とを接続するときに、駆動用ＩＣチップを直接実装する技術（ＣＯＧ：ＩＣチップをガラス基板に実装、ＣＯＦ：ＩＣチップをフィルム基板に実装、ＣＯＰ：ＩＣチップをプラスチック基板に実装）を用いたり、駆動用ＩＣチップがＴＡＢ実装されたフレキシブルケーブル基板を用いたりする場合に、駆動用ＩＣチップや駆動用ＩＣチップがＴＡＢ実装されたフレキシブルケーブル基板を複数並べて接続しなければならないため、その並べた長さよりも長い１辺を有するパネル基板を用いなければならないことも額縁を大きくしてしまうことに繋がっていた。
【０００９】
本発明は上述した問題点を解消して、それぞれのパネル基板の電極を駆動回路に接続するための引き出し線の接続端子を、一方のパネル基板の１辺側あるいは対向する２辺に集めた場合でも、パネルの狭額縁化を達成することができる情報表示用パネルを提供しようとするものである。
【課題を解決するための手段】
【００１０】
本発明の情報表示用パネルは、情報表示画面領域に透明なストライプ電極が形成され、情報表示画面領域以外の領域に前記ストライプ電極から引き出したライン電極が形成された第１の基板と、情報表示画面領域にストライプ電極が形成され、情報表示画面領域以外の領域に前記ストライプ電極から引き出したライン電極が形成された第２の基板と、駆動回路への接続配線用のライン電極が形成された第３の基板とを、少なくとも第１の基板の透明なストライプ電極と第２の基板のストライプ電極とが直交対向するようにして、かつ、第１の基板と第２の基板との対向空間の情報表示画面領域に、帯電性粒子を含んだ粒子群として構成した表示媒体を少なくとも２種類封止するとともに、第１の基板のストライプ電極から引き出したライン電極と、第３の基板の駆動回路への接続配線用のライン電極とを電気的に接続するようにして、第１の基板、第２の基板、第３の基板の順に重ねて配置した構造として、対向したストライプ電極で形成した電極対に駆動回路で制御された電圧を印加して発生させた電界で、前記表示媒体を移動させて情報表示を行うように構成したことを特徴とするものである。
【００１１】
また、本発明の情報表示用パネルの好適例としては、前記第１の基板のストライプ電極から引き出したライン電極と、第３の基板の駆動回路への接続配線用のライン電極とを電気的に接続する手段が、導電性粒子を非導電性樹脂に含ませた構成の異方導電接続材であること、前記第２の基板の厚さが、２５μｍ〜２５０μｍのものであること、前記第１の基板上の電極と前記第３の基板上の電極との異方導電接続材による接続を、前記第１の基板か前記第３の基板の少なくとも一方を撓めて、前記異方導電接続材が含む導電粒子の粒子径の長さに基板間距離を狭めて行ったこと、前記第３の基板の駆動回路への接続配線用のライン電極を、前記第２の基板のストライプ電極から引き出したライン電極が引き出されたパネルの１辺に、あるいは、前記第２の基板のストライプ電極から引き出されたライン電極が引き出されたパネルの１辺と対向する辺に、あるいは、パネルの前記対向する両辺に、引き出したこと、がある。
【発明の効果】
【００１２】
本発明によれば、情報表示画面領域に透明なストライプ電極が形成され、情報表示画面領域以外の領域に前記ストライプ電極から引き出したライン電極が形成された第１の基板と、情報表示画面領域にストライプ電極が形成され、情報表示画面領域以外の領域に前記ストライプ電極から引き出したライン電極が形成された第２の基板と、駆動回路側への接続配線用のライン電極が形成された第３の基板とを、少なくとも第１の基板の透明なストライプ電極と第２の基板のストライプ電極とが直交対向するようにして、かつ、第１の基板のストライプ電極から引き出したライン電極と、第３の基板の駆動回路への接続配線用のライン電極とを電気的に接続するようにして、第１の基板、第２の基板、第３の基板の順に重ねて貼り合わせた構造としたので、ストライプ電極から情報表示画面領域以外の領域に引き出したライン電極が占める領域を小さくすることができ、額縁部分を小さくすることができる。
【００１３】
また、本発明によれば、情報表示画面領域に透明なストライプ電極が形成され、情報表示画面領域以外の領域に前記ストライプ電極から引き出したライン電極が形成された第１の基板と、情報表示画面領域にストライプ電極が形成され、情報表示画面領域以外の領域に前記ストライプ電極から引き出したライン電極が形成された第２の基板と、駆動回路への接続配線用のライン電極が形成された第３の基板とを、少なくとも第１の基板の透明なストライプ電極と第２の基板のストライプ電極とが直交対向するようにして、かつ、第１の基板のストライプ電極から引き出したライン電極と、第３の基板の駆動回路への接続配線用のライン電極とを電気的に接続するようにして、第１の基板、第２の基板、第３の基板の順に重ねて貼り合わせた構造としたので、第１の基板のストライプ電極から引き回した駆動用ＩＣチップが実装された接続部分と、第２の基板のストライプ電極から引き回した駆動用ＩＣチップが実装された接続部分とを同じ基板上の１辺に並べるのではなく、異なる基板の対向する１辺に並べるので、各接続部分に重なりを持たせて並べることができるようになり、駆動用ＩＣチップが実装された接続部分を並べた長さを短くし、それに合せたパネル基板サイズにすることによって、パネル面において情報表示領域以外が占める額縁部分を小さくすることができる。
【発明を実施するための最良の形態】
【００１４】
まず、本発明の対象となる情報表示用パネルの構成について説明する。本発明の対象となる情報表示用パネルでは、対向する２枚の基板間に封入した帯電性粒子を含んだ粒子群として構成した表示媒体に電界が付与される。付与された電界方向に沿って、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示情報を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１５】
本発明の対象となる情報表示用パネルの例を、図１（ａ）、（ｂ）に基づき説明する。図１（ａ）、（ｂ）に示す例では、少なくとも光学的反射率および帯電性を有する粒子を含んだ粒子群として構成した光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板２に設けたストライプ電極６と基板１に設けたストライプ電極５とが対向直交交差して形成する画素電極対に電圧を印加することにより発生する電界に応じて、基板１、２と垂直に移動させる。そして、図１（ａ）に示すように白色表示媒体３Ｗを観察者に視認させて白色表示を、あるいは、図１（ｂ）に示すように黒色表示媒体３Ｂを観察者に視認させて黒色表示を、白黒のドットでマトリックス表示している。なお、図１（ａ）、（ｂ）において、手前にある隔壁は省略している。また、ここではセルと画素とが対応するように隔壁を形成しているが、隔壁は画素の位置と無関係に形成することもできる。
【００１６】
本発明の情報表示用パネルの特徴は、上述した構成の情報表示用パネルを基本として、情報表示画面領域に透明なストライプ電極が形成され、情報表示画面領域以外の領域に前記ストライプ電極から引き出したライン電極が形成された第１の基板と、情報表示画面領域にストライプ電極が形成され、情報表示画面領域以外の領域に前記ストライプ電極から引き出したライン電極が形成された第２の基板と、駆動回路への接続配線用のライン電極が形成された第３の基板とを、少なくとも第１の基板の透明なストライプ電極と第２の基板のストライプ電極とが直交対向するようにして、かつ、第１の基板と第２の基板との対向空間の情報表示画面領域に、帯電性粒子を含んだ粒子群として構成した表示媒体を少なくとも２種類封止するとともに、第１の基板のストライプ電極から引き出したライン電極と、第３の基板の駆動回路への接続配線用のライン電極とを電気的に接続するようにして、第１の基板、第２の基板、第３の基板の順に重ねて貼り合わせた構造として、対向したストライプ電極で形成した電極対に駆動回路で制御された電圧を印加して発生させた電界で、前記表示媒体を移動させて情報表示を行うように構成した点にある。
【００１７】
以下、本発明の情報表示用パネルの具体的な例について、図面を参照して説明する。
【００１８】
＜第１の実施の形態について＞
図２（ａ）〜（ｃ）はそれぞれ本発明の情報表示用パネルを構成する第１基板、第２基板および第３基板の第１の実施の形態を説明するための図である。図２（ａ）〜（ｃ）に示す第１の実施の形態は、駆動回路側の接続を同じ１辺で行う例を示している。
【００１９】
まず、図２（ａ）に示す第１の基板（観察側基板）１２は、情報表示画面領域（図中点線で囲まれた領域）に透明なストライプ電極（透明導電膜）１６が形成され、情報表示画面領域以外の領域に前記ストライプ電極１６から引き出したライン電極（導電膜）２１が形成された透明な基板として構成される。次に、図２（ｂ）に示す第２の基板（中間基板）１１は、情報表示画面領域にストライプ電極（導電膜）１５が形成され、情報表示画面領域以外の領域に前記ストライプ電極１５から引き出したライン電極（導電膜）２２が形成されたフィルム状の基板として構成される。駆動用ＩＣの接続端子数に対応してまとめられたライン電極２２は、パネルの１辺において、外部の駆動回路側と接続される駆動用ＩＣがＴＡＢ実装されたフレキシブルケーブル２３に接続されている。この第２基板１１の厚さはできるだけ薄いことが好ましく、フィルム状の第２の基板１１の厚さが２５μｍ〜２５０μｍのものであることが好ましい。次に、図２（ｃ）に示す第３の基板（背面側基板）２４は、駆動回路への接続配線用のライン電極（導電膜）２５が形成された基板であり、ここでは駆動回路側との接続部を第２の基板における駆動回路側との接続部と同じ辺側にするため、途中で９０度曲げたライン電極としている。この第３の基板２４には、ガラス繊維強化エポキシ基板（ガラエポ基板）やフレキシブル回路基板（ＦＰＣ基板）などの汎用回路基板を適用することができる。電極２５は駆動用ＩＣの接続端子数に対応してまとめられて、第２基板のフレキシブルケーブル２３を配置した辺と同じ１辺において、外部の駆動回路側と接続される駆動用ＩＣがＴＡＢ実装されたフレキシブルケーブル２６にて接続されている。なお、フレキシブルケーブル２３、２６に駆動用ＩＣを搭載したＴＣＰ（Tape Carrier Package）を用いることもできる。
【００２０】
本例において、第１の基板１２の情報表示画面領域以外の領域にストライプ電極１６から引き出したライン電極２１と、第３の基板２４面内の前記第1の基板の情報表示画面領域に対応する領域以外の領域であってフレキシブルケーブル２６に接続された側と反対側の領域に設けられている電極２５の先端部２５−Ａとは、第１の基板１２、第２の基板１１および第３の基板２４を重ね合わせたときに、対応する位置、好ましくは対向して対応する位置となるよう配置されている。また、本例では、第２の基板のフレキシブルケーブル２３と第３の基板２４のフレキシブルケーブル２６とが、第１の基板１２、第２の基板１１および第３の基板２４を重ね合わせたときに交互に並ぶように、第３の基板２４の図中上下の長さを第２の基板１１よりも長く構成している。この点は、フレキシブルケーブル２３とフレキシブルケーブル２６とが別々の基板に設けられているため、同じ位置で重なり合っても、フレキシブルケーブルと接続するコネクターを工夫することで、問題なく接続を行うことができる。
【００２１】
図３（ａ）、（ｂ）はそれぞれ本発明の情報表示用パネルの一例を説明するための図であり、図３（ａ）は情報表示用パネルを観察面側から見た図を、図３（ｂ）は図３（ａ）におけるＡ−Ａ線に沿った断面を模式的に示す図である。図３（ａ）、（ｂ）に示す例では、本発明の情報表示用パネルの特徴をより良く理解できるように、各構成部材を実際の寸法とは異なる寸法の比率で表示するとともに、部分的に構成部材を省いて表示している。図３（ａ）、（ｂ）に示す例は、図２（ａ）〜（ｃ）に示す第１の基板１２、第２の基板１１および第３の基板２４をこの順に重ね合わせて情報表示用パネルを構成している。
【００２２】
図３（ａ）、（ｂ）に示す例において、第１の基板１２、第２の基板１１および第３の基板２４を重ね合わせた状態で、情報表示画面領域の外周部において、第１の基板１２と第２の基板１１との間の、基板間ギャップ確保用隔壁３１の外周部に枠状シール剤３２を設けている。また、第１の基板１２と第２の基板１１との間の表示媒体配置層３３には帯電性粒子を含んだ粒子群として構成した表示媒体が封止されており、第１の基板１２に形成した透明ストライプ電極１６と第２の基板１１に形成したストライプ電極１５とを対向直交交差させて形成した電極対から電界を付与してパッシブ駆動でドットマトリックス表示させるドットマトリックス表示方式の情報表示用パネルとしている。なお、図３（ａ）、（ｂ）に示す例では、表示媒体配置層３３を示すのみとして表示媒体を表示していない。基板間ギャップ確保用隔壁３１、枠状シール剤３２および表示媒体の封入は、いずれも、従来から知られている情報表示用パネルの構成と同じである。
【００２３】
本発明の情報表示用パネルの最大の特徴は、図３（ａ）、（ｂ）に示す例において、第１の基板１２の情報表示画面領域以外の領域にストライプ電極１６から引き出したライン電極２１と、第３の基板２４の情報表示画面領域以外の領域であってフレキシブルケーブル２６に接続された側と反対側の領域に設けられている電極２５の先端部２５−Ａとを、基板間ギャップ確保用隔壁３１および枠状シール剤３２の外部の１辺において、異方導電性膜（ＡＣＦ：Anisotropic Conductive Film）などの異方導電接続材３４により電気的に接続して、基板間導通を行った点である。異方導電性膜（ＡＣＦ）は、導電性粒子を非導電性樹脂に含ませた構成の異方導電接続材から構成され、これを用いた電気的接続は従来から知られている例と同じである。なお、異方導電性膜（ＡＣＦ）の代わりに異方導電性ペースト（ＡＣＰ：Anisotropic Conductive Paste）を用いても良い。
【００２４】
上述した本発明の情報表示用パネルによれば、第１の基板１２のストライプ電極１６から引き出したライン電極２１と、第３の基板２４の電極２５の先端部２５−Ａとを、異方導電接続材３４により接続することで、第３の基板２４の電極２５、異方導電接続材３４、ライン電極２１を介して第１の基板１２のストライプ電極１６に駆動用の電圧を印加することができる。上記構成を、本発明では情報表示画面領域以外の領域に設けた異方導電接続材３４のみで構成できるため、従来と比較して狭額縁化を達成することができる。また、駆動回路側との接続を同じ１辺で行う場合、フレキシブルケーブル２３とフレキシブルケーブル２６とを、それぞれ、別の面に形成できるため、フレキシブルケーブル２３とフレキシブルケーブル２６との重なり合いを許容することができる。
【００２５】
図４は本発明の情報表示用パネルにおける異方導電接続材３４を用いた基板間導通の他の例を説明するための図である。図４に示すように、第１の基板１２と第３の基板２４の少なくとも一方をフレキシブル基板とすれば（図４の例では第３の基板２４をフレキシブル基板としている）、異方導電性膜（ＡＣＦ）が含む導電粒子の粒子径が小さくても、フレキシブル基板（ここでは第３の基板２４）側を曲げてＡＣＦ接続ができる。
【００２６】
＜第２の実施の形態について＞
図５（ａ）〜（ｃ）はそれぞれ本発明の情報表示用パネルを構成する第１基板、第２基板および第３基板の第２の実施の形態を説明するための図である。図５（ａ）〜（ｃ）に示す第２の実施の形態は、駆動回路側の接続を対向する２辺で行う例を示している。
【００２７】
まず、図５（ａ）に示す第１の基板（観察側基板）１２は、情報表示画面領域（図中点線で囲まれた領域）に透明なストライプ電極（透明導電膜）１６が形成され、情報表示画面領域以外の領域に前記ストライプ電極１６から引き出したライン電極（導電膜）２１が形成された透明な基板として構成される。次に、図５（ｂ）に示す第２の基板（中間基板）１１は、情報表示画面領域にストライプ電極（導電膜）１５が形成され、情報表示画面領域以外の領域に前記ストライプ電極１５から引き出したライン電極（導電膜）２２が形成されたフィルム状の基板として構成される。駆動用ＩＣの接続端子数に応じてまとめられたライン電極２２は、パネルの１辺において、外部の駆動回路側と接続される駆動用ＩＣが実装されたフレキシブルケーブル２３に接続されている。この第２基板１１の厚さはできるだけ薄いことが好ましい。次に、図５（ｃ）に示す第３の基板（背面側基板）２４は、駆動回路への接続配線用のライン電極（導電膜）２５が形成された基板であり、ここでは駆動回路側との接続部を第２の基板における駆動回路側との接続部と対向する辺側にするため途中で９０度曲げてライン電極としている。この第３の基板２４には、ガラス繊維補強エポキシ基板（ガラエポ基板）やフレキシブル回路基板（ＦＰＣ基板）などの汎用回路基板を適用することができる。電極２５は駆動用ＩＣの接続端子数に対応してまとめられて、第２基板のフレキシブルケーブル２３を配置した辺に対向する１辺において、外部の駆動回路側と接続される駆動用ＩＣがＴＡＢ実装されたフレキシブルケーブル２６に接続されている。
【００２８】
本例において、第１の基板１２の情報表示画面領域以外の領域にストライプ電極１６から引き出したライン電極２１と、第３の基板２４の情報表示画面領域以外の領域であってフレキシブルケーブル２６に接続された側と反対側の領域に設けられている電極２５の先端部２５−Ａとは、第１の基板１２、第２の基板１１および第３の基板２４を重ね合わせたときに、対応する位置、好ましくは対向して対応する位置となるよう配置されている。
【００２９】
図６は本発明の情報表示用パネルの他の例を説明するための図である。図６に示す例では、本発明の情報表示用パネルの特徴をより良く理解できるように、各構成部材を実際の寸法とは異なる寸法の比率で表示するとともに、部分的に構成部材を省いて表示している。図６に示す例は、図５（ａ）〜（ｃ）に示す第１の基板１２、第２の基板１１および第３の基板２４をこの順に重ね合わせて情報表示用パネルを構成している。図６に示す例でも、本発明の情報表示用パネルの特徴となる第３の基板２４を用いた異方導電接続材３４の構成および効果は、上述した第１の実施の形態の例と同じである。
【００３０】
＜第３の実施の形態について＞
図７（ａ）〜（ｃ）はそれぞれ本発明の情報表示用パネルを構成する第１基板、第２基板および第３基板の第３の実施の形態を説明するための図である。図７（ａ）〜（ｃ）に示す第３の実施の形態は、駆動回路側の接続を対向する２辺で行う例を示している。
【００３１】
まず、図７（ａ）に示す第１の基板（観察側基板）１２は、情報表示画面領域（図中点線で囲まれた領域）に透明なストライプ電極（透明導電膜）１６が形成され、情報表示画面領域以外の領域に前記ストライプ電極１６から引き出したライン電極（導電膜）２１が形成された透明な基板として構成される。次に、図７（ｂ）に示す第２の基板（中間基板）１１は、情報表示画面領域にストライプ電極（導電膜）１５が形成され、情報表示画面領域以外の領域に前記ストライプ電極１５から引き出したライン電極（導電膜）２２が形成されたフィルム状の基板として構成される。駆動用ＩＣの接続端子数に対応してまとめられたライン電極２２は、パネルの１辺において、外部の駆動回路側と接続される駆動用ＩＣがＴＡＢ実装されたフレキシブルケーブル２３に接続されている。この第２基板１１の厚さはできるだけ薄いことが好ましい。次に、図７（ｃ）に示す第３の基板（背面側基板）２４は、駆動回路側への接続配線用のライン電極（導電膜）２５が形成された基板であり、ここでは駆動回路側との接続部を第２の基板における駆動回路側との接続部と同じ辺側及び対向する辺側にするため、途中で９０度曲げたライン電極としている。この第３の基板２４には、ガラス繊維補強エポキシ基板（ガラエポ基板）やフレキシブル回路基板（ＦＰＣ基板）などの汎用回路基板を適用することができる。電極２５は駆動用ＩＣの接続端子数に対応してまとめられて、第２基板のフレキシブルケーブル２３を配置した辺およびこの辺に対向する辺の２辺において、外部の駆動回路側と接続される駆動用ＩＣがＴＡＢ実装されたフレキシブルケーブル２６に接続されている。
【００３２】
本例において、第１の基板１２の情報表示画面領域以外の領域にストライプ電極１６から引き出したライン電極２１と、第３の基板２４の情報表示画面領域以外の領域であってフレキシブルケーブル２６に接続された側と反対側の領域に設けられている電極２５の先端部２５−Ａとは、第１の基板１２、第２の基板１１および第３の基板２４を重ね合わせたときに、対応する位置となるよう配置されている。
【００３３】
図８は本発明の情報表示用パネルのさらに他の例を説明するための図である。図８に示す例では、本発明の情報表示用パネルの特徴をより良く理解できるように、各構成部材を実際の寸法とは異なる寸法の比率で表示するとともに、部分的に構成部材を省いて表示している。図８に示す例は、図７（ａ）〜（ｃ）に示す第１の基板１２、第２の基板１１および第３の基板２４をこの順に重ね合わせて情報表示用パネルを構成している。図８に示す例でも、本発明の情報表示用パネルの特徴となる第３の基板２４を用いた異方導電接続材３４の構成および効果は、上述した第１の実施の形態の例と同じである。
【００３４】
次に、本発明の情報表示用パネルを構成する各構成部材について説明する。
【００３５】
第１の基板には透明である必要があり、ポリエチレンテレフタレート（ＰＥＴ）、ポリエチレンナフタレート（ＰＥＮ）などのエステル系樹脂や、ポリエチレン（ＰＥ）、ポリプロピレン（ＰＰ）などのオレフィン系樹脂、ポリメチルメタクリレート（ＰＭＭＡ）などのアクリル樹脂やポリカーボネート（ＰＣ）、ポリエーテルサルフォン（ＰＥＳ）、ポリイミド（ＰＩ）などのポリマーフィルムやポリマーシートを用いることが出来る。また、ガラスも使用できる。
【００３６】
第２の基板は透明性を必要としないので、前述のポリマーフィルムのほかにも、種々のフィルムが使用できる。第１の基板と第３の基板とを異方導電接続材を用いて接続する必要があるため、距離が近い方が好ましく、第１の基板と第３の基板との間に配置する第２の基板は薄いことが望ましい。そのため、フィルム状の基板が好適である。
【００３７】
第３の基板は透明性も薄さも必要が無いので、幅広く材料を選択して使用することが出来る。第１の基板や第２の基板に用いるポリマーフィルムやガラスのほかに、ガラスエポキシ樹脂板なども好適に使用できる。また、金属板上に絶縁膜を作製した基板を用いることも出来る。
【００３８】
第１の基板と第３の基板とで第２の基板を挟んだ状態で導電性接続材料を用いて電気的に接続するためには、第１の基板と第３の基板の少なくともどちらかは撓むことが好ましい。特に導電粒子を含んだ導電性接続材料を用いる場合にはその導電粒子の粒子径の長さまで導通を図る基板間を狭める必要があるので、第１の基板と第３の基板の少なくともどちらかを撓めることで導電粒子の粒子径に拘わらず基板間導通が取れるので好ましい。そのため、第１の基板と第３の基板のどちらかは可撓性を有するフィルム基板であることが望ましい。
【００３９】
導電性接続材料としては、非導電性の熱硬化性樹脂に導電粒子を分散させてフィルム状に成型した異方性導電フィルム（Anisotropic Conductive Film：ACF）やフィルム状に成型せずに、非導電性の熱硬化性樹脂に導電性粒子を分散させペースト状にした異方導電性ペースト（Anisotropic Conductive Paste：ACP）などが好適に用いられる。導電粒子としては、平均粒子径３〜５μm程度の球形樹脂の表面にニッケルや金がめっきされたものや、平均粒子径３〜５μm程度の球形樹脂の外側を導電性材料でコートしたものが用いられる。また、第１の基板や第３の基板の接続用電極部分にバンプを作製する場合は、導電粒子を含まない非導電性フィルム（Non Conductive Film：NCF）や、非導電性ペースト（Non Conductive Paste：NCP）なども使用できる。
【００４０】
対向電極対が形成する画素と、少なくとも２種類の表示媒体が組み合わされて配置されたセルとは対応するようにしたり、対応しないようにしたりできる。三原色カラーフィルターと白色表示媒体、黒色表示媒体とを組み合せてカラー表示を行う場合や、三原色カラー表示媒体と黒色表示媒体または三原色カラー表示媒体と白色表示媒体を組み合せてカラー表示を行う場合には、画素とセルとを対応させるのが好ましい。
【００４１】
表示媒体を配置する対向基板間に隔壁を設けることでセルを形成したり、表示媒体を封止したマイクロカプセルとしてセルを形成したりすることができる。また、対向基板間ギャップを確保するために設ける基板間ギャップ確保用隔壁と、表示媒体とする粒子群がパネル基板と平行な方向に移動することを抑制する機能を担うセル形成用隔壁とを設ける場合には、基板間ギャップ確保用隔壁の幅は、２０μｍ〜１００μｍの範囲が好ましく、セル形成用隔壁の幅は、５μｍ〜３０μｍの範囲で、できるだけ細くすることが好ましい。さらにまた、セル形成用隔壁は基板間ギャップ確保用隔壁の高さより低くしてもよく、表示媒体とする粒子群がパネル基板と平行な方向に移動することを抑制する機能を損なわない範囲とする。セル形成用隔壁は双方のパネル基板の対向位置に形成し、基板同士を重ね合わせたときに対向する構成としてもよく、この場合、対向部分を接合してもよいし接合しなくてもよい。
【００４２】
セルの形状は画素形状および画素配置に合わせた多角形（角丸付き四角形、角丸付き階段型八角形など）にしたり、画素形状や画素配置とは無関係に多角形とする。多角形にすることで非表示領域となる隔壁部分が占める割合を小さくでき、情報表示領域における開口度が増す。隔壁を格子状に形成してマトリックス状に配置された画素と位置を対応させることの好ましい。表示媒体を構成する粒子を移動しやすくできる点からは曲線を有するセル形状が好ましく、画素とセルとを対応させる添からは四角形や階段型八角形が好ましく、両端を鑑みて角丸付きの四角形や角丸付き階段型八角形が好ましく用いられる。
【００４３】
基板間ギャップ確保用として設ける隔壁や、基板間ギャップ確保および異なる表示カラーを行うエリア境界に設ける隔壁およびセル形成専用の隔壁の形成材料としては、ドライフィルムレジスト材が好適に用いられる。一例として、アルフォＮＩＴ２（ニチゴーモートン社製）やＰＤＦ３００（新日鐵化学社製）を使用することができる。
【００４４】
形成したい隔壁部分の高さに合せた厚みのドライフィルムレジスト材をパネル基板に積層し、所定形状のフォトマスクを用いてフォトリソ法によってパターニングする。
【００４５】
基板間ギャップ確保用の隔壁部分の幅は、２０μｍ〜１００μｍの範囲とし、セル形成用の隔壁部分の幅は、５μｍ〜３０μｍの範囲とし、セル形成用の隔壁部分の幅を、基板間ギャップ確保用の隔壁部分の幅よりも小さくする。
【００４６】
導電膜をパターニングして電極とする導電材料のうち、観察側の透明基板となる第１の基板には透明導電膜が得られる、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の透明導電金属酸化物類、ポリアニリン、ポリピロール、ポリチオフェン等の透明導電性高分子類を用いる。
【００４７】
導電膜をパターニングして電極とする導電材料のうち、観察側に配置されない第２の基板および第３の基板や、第１の基板の情報表示画面領域以外の領域には、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の導電金属酸化物類、ポリアニリン、ポリピロール、ポリチオフェン等の導電性高分子類や、金、銀、銅、アルミニウム、ニッケル、クロム等の金属や、これらの金属を主成分とする合金を用いる。これらの電極とする導電膜は透明であってもよいし、透明でなくても良い。
【００４８】
電極とする導電膜の形成方法としては、上記例示の材料をスパッタリング法、真空蒸着法、ＣＶＤ（化学蒸着）法、塗布法、メッキ法等で薄膜状に形成する方法や金属箔（例えば圧延銅箔）をラミネートする方法、導電剤を溶媒や合成樹脂バインダーに混合して塗布したりする方法が用いられる。パターン形成可能で導電性である上記材料を好適に用いることができる。なお、観察側の透明電極の厚みは、導電性が確保でき光透過性に支障がなければ良く、０．０１〜１０μｍが好ましく、０．０５〜５μｍがより好ましい。また、観察側ではない電極の厚みは、導電性が確保できれば良く、０．０１〜１０μｍの範囲で設ける。
【００４９】
観察側基板（第１の基板）に設ける電極として好適な透明導電性材料は、金属材料に比べて可とう性が小さい。観察側電極をライン電極とする場合には、透明電極材中での断線防止のため、金属細線と併用することが好ましい。この金属細線の幅は、１μｍ〜１０μｍとすれば表示視認性の妨げとならないので好ましい。背面側基板（第３の基板）や中間基板（第２の基板）に設ける電極は光透過性を考慮する必要がないので電気抵抗が小さく、可とう性にも優れた前記金属材料が好適に用いられる。
【実施例】
【００５０】
以下、実際の例について説明する。なお、以下の実施例１〜５では、第３の基板に形成した駆動回路側への接続配線用のライン電極は異方導電接続材を配置する部分から延びるストライプ電極を、駆動回路側への接続用フレキシブルケーブルを配置する部分に９０度曲げたＬ字型にパターニングして、第３の基板に設ける駆動回路側との接続端子部を、すべて同じ１辺に、かつ、第２の基板に設ける駆動回路側との接続端子部と同じ１辺に構成した。前記ストライプ状のライン電極を９０度曲げるための形状としては、Ｌ字型以外にも円弧を描くようにしたり、鈍角を組み合わせて繋ぐような形とすることもできる。
【００５１】
＜実施例１＞
厚さ１２５μｍの透明ポリエチレンテレフタレート（ＰＥＴ）樹脂基板にストライプ状に形成されたＩＴＯ（錫ドープ酸化インジウム）を用いた透明電極付きフィルムを第１の基板として作製した。厚さ１２５μｍの透明ＰＥＴ樹脂基板に第１の基板に形成されたストライプ状の電極と直交する方向にストライプ状にＩＴＯ（錫ドープ酸化インジウム）を用いた電極が形成された第２の基板を作製した。第２の基板の電極は情報表示画面領域の外側の部分でＡＣＦを用いて、駆動用ＩＣが実装されたＴＣＰと電気的に接続した。第３の基板として、銅箔をラミネートしたポリイミドフィルムをエッチングすることによりＬ字型ストライプ状にパターニングした銅電極を作製した。第１の電極と第３の電極は、情報表示画面領域の外側でＡＣＦを用いて電気的に接続した。また、第３の基板上に作製された電極の第１の基板と接続された部分の反対側の部分で、ＡＣＦを用いて駆動用ＩＣが実装されたＴＣＰと電気的に接続した。第２の基板および第３の基板に接続された駆動用ＩＣ付きＴＣＰを駆動回路側にコネクタを用いて接続し、情報表示画面領域に表示を行った。その結果、縦・横とも断線やリークを起こすことなく、良好に表示を行うことが出来た。
【００５２】
＜実施例２＞
厚さ１２５μｍの透明ＰＥＴ樹脂基板にストライプ状に形成されたＩＴＯ（錫ドープ酸化インジウム）を用いた透明電極フィルムを第１の基板として作製した。厚さ１２５μｍの透明ＰＥＴ樹脂基板に第１の基板に形成されたストライプ状の電極と直交する方向にストライプ状にＩＴＯ（錫ドープ酸化インジウム）を用いた電極が形成された第２の基板を作製した。第２の基板の電極は情報表示画面領域の外側の部分でＡＣＦを用いて、駆動用ＩＣが実装されたＴＣＰと電気的に接続した。第３の基板として、１２５μｍの透明ＰＥＴフィルムに、アルミニウム電極がＬ字型ストライプ状に形成された電極フィルムを作製した。第１の電極と第３の電極は、情報表示画面領域の外側でＡＣＦを用いて電気的に接続した。また、第３の基板上に作製された電極の第１の基板と接続された部分の反対側の部分で、ＡＣＦを用いて駆動用ＩＣが実装されたＴＣＰと電気的に接続した。第２の基板および第３の基板に接続された駆動用ＩＣ付きＴＣＰを駆動回路側にコネクタを用いて接続し、情報表示画面領域に表示を行った。その結果、縦・横とも断線やリークを起こすことなく、良好に表示を行うことが出来た。
【００５３】
＜実施例３＞
厚さ２５０μｍの透明ＰＥＴ樹脂基板にストライプ状に形成された酸化インジウムを用いた透明電極フィルムを第１の基板として作製した。厚さ２５０μｍの透明ＰＥＴ樹脂基板に第１の基板に形成されたストライプ状の電極と直交する方向にストライプ状にＩＴＯ（錫ドープ酸化インジウム）を用いた電極が形成された第２の基板を作製した。第２の基板の電極は情報表示画面領域の外側の部分でＡＣＦを用いて、駆動用ＩＣが実装されたＴＣＰと電気的に接続した。第３の基板として、銅箔をラミネートしたポリイミドフィルムをエッチングすることによりＬ字型ストライプ状にパターニングした銅電極を作製した。第１の電極と第３の電極は、情報表示画面領域の外側でＡＣＦを用いて電気的に接続した。また、第３の基板上に作製された電極の第１の基板と接続された部分の反対側の部分で、ＡＣＦを用いて駆動用ＩＣが実装されたＴＣＰと電気的に接続した。第２の基板および第３の基板に接続された駆動用ＩＣ付きＴＣＰを駆動回路側にコネクタを用いて接続し、情報表示画面領域に表示を行った。その結果、縦・横とも断線やリークを起こすことなく、良好に表示を行うことが出来た。
【００５４】
＜実施例４＞
厚さ２５０μｍの透明ＰＥＴ樹脂基板にストライプ状に形成された酸化インジウムを用いた透明電極フィルムを第１の基板として作製した。厚さ２５０μｍの透明ＰＥＴ樹脂基板に第１の基板に形成されたストライプ状の電極と直交する方向にストライプ状にＩＴＯ（錫ドープ酸化インジウム）を用いた電極が形成された第２の基板を作製した。第２の基板の電極は情報表示画面領域の外側の部分でＡＣＦを用いて、駆動用ＩＣが実装されたＴＣＰと電気的に接続した。第３の基板として、２５０μｍの透明ＰＥＴフィルムに、アルミニウム電極がＬ字型ストライプ状に形成された電極フィルムを作製した。第１の電極と第３の電極は、情報表示画面領域の外側でＡＣＦを用いて電気的に接続した。また、第３の基板上に作製された電極の第１の基板と接続された部分の反対側の部分で、ＡＣＦを用いて駆動用ＩＣが実装されたＴＣＰと電気的に接続した。第２の基板および第３の基板に接続された駆動用ＩＣ付きＴＣＰを駆動回路側にコネクタを用いて接続し、情報表示画面領域に表示を行った。その結果、第１の基板の電極の一部に断線により動作しないラインが見られることがあった。不具合のあったディスプレイパネルについて詳細を観察したところ、第３の電極フィルムのアルミニウム電極が第２の電極フィルムのエッジの部分の段差によりキズを受けて断線を起こしていた。
【００５５】
＜実施例５＞
厚さ１２５μｍの透明ＰＥＴ樹脂基板にストライプ状に形成されたＩＴＯ（錫ドープ酸化インジウム）を用いた透明電極フィルムを第１の基板として作製した。厚さ２５μｍの透明ＰＥＴ樹脂基板に第１の基板に形成されたストライプ状の電極と直交する方向にストライプ状にＩＴＯ（錫ドープ酸化インジウム）を用いた電極が形成された第２の基板を作製した。第２の基板の電極は情報表示画面領域の外側の部分でＡＣＦを用いて、駆動用ＩＣが実装されたＴＣＰと電気的に接続した。第３の基板として、銅箔をラミネートしたポリイミドフィルムをエッチングすることによりＬ字型ストライプ状にパターニングした銅電極を作製した。第１の電極と第３の電極は、情報表示画面領域の外側でＡＣＦを用いて電気的に接続した。また、第３の基板上に作製された電極の第１の基板と接続された部分の反対側の部分で、ＡＣＦを用いて駆動用ＩＣが実装されたＴＣＰと電気的に接続した。第２の基板および第３の基板に接続された駆動用ＩＣ付きＴＣＰを駆動回路側にコネクタを用いて接続し、情報表示画面領域に表示を行った。その結果、縦・横とも断線やリークを起こすことなく、良好に表示を行うことが出来た。
【産業上の利用可能性】
【００５６】
本発明の対象となる情報表示用パネルは、ノートパソコン、ＰＤＡ、携帯電話、ハンディターミナル等のモバイル機器の表示部、電子書籍、電子新聞、電子マニュアル（取扱説明書）等の電子ペーパー、看板、ポスター、黒板等の掲示板、電卓、家電製品、自動車用品等の表示部、ポイントカード、ＩＣカード等のカード表示部、電子広告、電子ＰＯＰ（Point of presence, Point of Purchase advertising）、電子値札、電子棚札、電子楽譜、ＲＦ−ＩＤ機器の表示部や、外部表示書き換え手段と接続して表示書き換えを行う表示部（いわゆるリライタブルペーパー）として好適に用いられる。
【図面の簡単な説明】
【００５７】
【図１】（ａ）、（ｂ）はそれぞれ本発明の駆動方法の対象となる情報表示用パネルの一例を説明するための図である。
【図２】（ａ）〜（ｃ）はそれぞれ本発明の情報表示用パネルを構成する第１基板、第２基板および第３基板の第１の実施の形態を説明するための図である。
【図３】（ａ）、（ｂ）はそれぞれ本発明の情報表示用パネルの一例を説明するための図である。
【図４】本発明の情報表示用パネルにおけるＡＣＦ接続部の他の例を説明するための図である。
【図５】（ａ）〜（ｃ）はそれぞれ本発明の情報表示用パネルを構成する第１基板、第２基板および第３基板の第２の実施の形態を説明するための図である。
【図６】本発明の情報表示用パネルの他の例を説明するための図である。
【図７】（ａ）〜（ｃ）はそれぞれ本発明の情報表示用パネルを構成する第１基板、第２基板および第３基板の第３の実施の形態を説明するための図である。
【図８】本発明の情報表示用パネルのさらに他の例を説明するための図である。
【図９】（ａ）〜（ｃ）はそれぞれ従来の情報表示用パネルの一例を説明するための図である。
【符号の説明】
【００５８】
１、２  基板
３Ｗ  白色表示媒体
３Ｗａ  白色負帯電性粒子
３Ｂ  黒色表示媒体
３Ｂａ  黒色正帯電性粒子
４  隔壁
５、６  電極
１１  第２の基板
１２  第１の基板
１５、１６  ストライプ電極
２１、２２  ライン電極
２３、２６  フレキシブルケーブル
２４  第３の基板
２５  電極
２５−Ａ  先端部
３１  基板間ギャップ確保用隔壁
３２  枠状シール剤
３３  表示媒体配置層
３４  異方導電接続材
【図１】
2010145722.tif 000003
【図２】
2010145722.tif 000004
【図３】
2010145722.tif 000005
【図４】
2010145722.tif 000006
【図５】
2010145722.tif 000007
【図６】
2010145722.tif 000008
【図７】
2010145722.tif 000009
【図８】
2010145722.tif 000010
【図９】
2010145722.tif 000011